(57)【要約】【課題】小型化することができる調湿システムを提供する。【解決手段】筒状に形成されると共にそれぞれの径が異なる第一円筒管３１、第二円筒管３２及び第三円筒管３３が設けられ、第一室Ｒ１は、第一円筒管３１が第二円筒管３２の内側に配置されることにより、第一円筒管３１と第二円筒管３２との間に区画され、第一室Ｒ１の吸着材は、第一円筒管３１の外周面に設けられ、第一室Ｒ１の冷媒は、第一円筒管３１の内側を流通し、記第二室Ｒ２は、第二円筒管３２が第三円筒管３３の内側に配置されることにより、第二円筒管３２と第三円筒管３３との間に区画され、第二室Ｒ２の吸着材は、第三円筒管３３の内周面に設けられ、第二室Ｒ２の冷媒は、第三円筒管３３の外側を流通する。【選択図】図８
2015152272.tif 000002
【特許請求の範囲】
【請求項１】
水分を吸脱着可能な吸着材が設けられ、冷媒を流通させて前記吸着材に冷熱又は温熱を選択的に供給可能に構成され、
前記冷熱を供給して流通する空気の水分を前記吸着材に吸着させる第一状態と、前記温熱を供給して流通する空気へと前記吸着材から水分を脱着させる第二状態と、を、それぞれ切り替え可能な第一室及び第二室を具備する、空気の湿度の調整を行うための調湿システムであって、
筒状に形成されると共にそれぞれの径が異なる第一筒管、第二筒管及び第三筒管が設けられ、
前記第一室は、前記第一筒管が前記第二筒管の内側に配置されることにより、前記第一筒管と前記第二筒管との間に区画され、
前記第一室の吸着材は、前記第一筒管の外周面に設けられ、
前記第一室の冷媒は、前記第一筒管の内側を流通し、
前記第二室は、前記第二筒管が前記第三筒管の内側に配置されることにより、前記第二筒管と前記第三筒管との間に区画され、
前記第二室の吸着材は、前記第三筒管の内周面に設けられ、
前記第二室の冷媒は、前記第三筒管の外側を流通する、
ことを特徴とする調湿システム。
【請求項２】
前記第一筒管、前記第二筒管及び前記第三筒管は、それぞれ断面視円形状に形成されると共に、それぞれの軸心が重複するように配置される、
ことを特徴とする請求項１に記載の調湿システム。
【請求項３】
前記第二室を流通する空気を旋回流とするための旋回流発生手段が設けられる、
ことを特徴とする請求項１又は請求項２に記載の調湿システム。
【請求項４】
前記第二筒管は、空気の流通方向の上流側から下流側へ行くに従って徐々に拡径するように形成される、
ことを特徴とする請求項１から請求項３までのいずれか一項に記載の調湿システム。
【請求項５】
前記第一室の吸着材の量及び前記第二室の吸着材の量が略同一である、
ことを特徴とする請求項１から請求項４までのいずれか一項に記載の調湿システム。
【請求項６】
前記第二筒管は、防湿性及び／又は断熱性を有する、
ことを特徴とする請求項１から請求項５までのいずれか一項に記載の調湿システム。
【請求項７】
前記第二筒管及び前記第三筒管には、それぞれ前記空気の流通方向の上流側及び下流側端部に、前記第二筒管と前記第三筒管とを連結すると共に、前記第二筒管と前記第三筒管との間を覆う連結部が設けられる、
ことを特徴とする請求項１から請求項６までのいずれか一項に記載の調湿システム。
【発明の詳細な説明】
【技術分野】
【０００１】
本発明は、空気の湿度の調整を行うための調湿システムの技術に関する。
【背景技術】
【０００２】
従来、空気の湿度の調整を行うための調湿システムの技術は公知となっている。例えば、特許文献１に記載の如くである。
【０００３】
特許文献１に記載の調湿システムは、空気調和装置を具備する。空気調和装置は、２種類の空気流通路と、水分を吸脱着可能な吸着材が設けられた円筒状のケーシングと、を具備する。ケーシングは、駆動力により回転軸を中心として回転可能に構成され、一側半分が前記２種類の空気流通路のうち一方に配置され、他側半分が前記２種類の空気流通路のうち他方に配置される。
【０００４】
このような構成により、特許文献１に記載の調湿システムは、ケーシングを回転させると共に２種類の空気流通路を流通する空気に対して吸着材を用いて水分を吸脱着することにより、前記２種類の空気流通路を流通する空気の湿度の調整（調湿）を連続的に行うことができる。
【０００５】
しかしながら、特許文献１に記載の調湿システムは、ケーシングを回転させる駆動力を発生させる駆動装置を設ける必要があるため、大型化する点で問題である。
【先行技術文献】
【特許文献】
【０００６】
【特許文献１】特開２０１１−２２０６０４号公報
【発明の概要】
【発明が解決しようとする課題】
【０００７】
本発明は以上の如き状況に鑑みてなされたものであり、その解決しようとする課題は、小型化することができる調湿システムを提供することである。
【課題を解決するための手段】
【０００８】
本発明の解決しようとする課題は以上の如くであり、次にこの課題を解決するための手段を説明する。
【０００９】
即ち、請求項１においては、水分を吸脱着可能な吸着材が設けられ、冷媒を流通させて前記吸着材に冷熱又は温熱を選択的に供給可能に構成され、前記冷熱を供給して流通する空気の水分を前記吸着材に吸着させる第一状態と、前記温熱を供給して流通する空気へと前記吸着材から水分を脱着させる第二状態と、を、それぞれ切り替え可能な第一室及び第二室を具備する、空気の湿度の調整を行うための調湿システムであって、筒状に形成されると共にそれぞれの径が異なる第一筒管、第二筒管及び第三筒管が設けられ、前記第一室は、前記第一筒管が前記第二筒管の内側に配置されることにより、前記第一筒管と前記第二筒管との間に区画され、前記第一室の吸着材は、前記第一筒管の外周面に設けられ、前記第一室の冷媒は、前記第一筒管の内側を流通し、前記第二室は、前記第二筒管が前記第三筒管の内側に配置されることにより、前記第二筒管と前記第三筒管との間に区画され、前記第二室の吸着材は、前記第三筒管の内周面に設けられ、前記第二室の冷媒は、前記第三筒管の外側を流通するものである。
【００１０】
請求項２においては、前記第一筒管、前記第二筒管及び前記第三筒管は、それぞれ断面視円形状に形成されると共に、それぞれの軸心が重複するように配置されるものである。
【００１１】
請求項３においては、前記第二室を流通する空気を旋回流とするための旋回流発生手段が設けられるものである。
【００１２】
請求項４においては、前記第二筒管は、空気の流通方向の上流側から下流側へ行くに従って徐々に拡径するように形成されるものである。
【００１３】
請求項５においては、前記第一室の吸着材の量及び前記第二室の吸着材の量が略同一であるものである。
【００１４】
請求項６においては、前記第二筒管は、防湿性及び／又は断熱性を有するものである。
【００１５】
請求項７においては、前記第二筒管及び前記第三筒管には、それぞれ前記空気の流通方向の上流側及び下流側端部に、前記第二筒管と前記第三筒管とを連結すると共に、前記第二筒管と前記第三筒管との間を覆う連結部が設けられるものである。
【発明の効果】
【００１６】
本発明の効果として、以下に示すような効果を奏する。
【００１７】
請求項１においては、調湿システムを小型化することができる。
【００１８】
請求項２においては、第一室及び第二室を空気が流通し易くすることができ、調湿の効率を向上させることができる。
【００１９】
請求項３においては、第二室を流通する空気が当該第二室の吸着材と接触し易くなるため、調湿の効率を向上させることができる。
【００２０】
請求項４においては、第二室を流通する空気が当該第二室の吸着材と速い速度で接触し易くなるため、調湿の効率をより向上させることができる。
【００２１】
請求項５においては、第一室及び第二室の両方の室でバランス良く調湿することができる。
【００２２】
請求項６においては、第二筒管の防湿性及び／又は断熱性によって、調湿の効率をより向上させることができる。
【００２３】
請求項７においては、第二室を流通する空気が当該第二室の吸着材とより接触し易くなるため、調湿の効率をより向上させることができる。
また、第二筒管及び第三筒管を一体的に連結すれば、部品点数を削減でき、ひいてはコスト削減を図ることができる。
【図面の簡単な説明】
【００２４】
【図１】（ａ）本発明に係る調湿システムの一実施形態を示した概略図。（ｂ）湿度調整部を示した概略図。
【図２】調湿システムのブロック図。
【図３】（ａ）湿度調整部の本体部を示した斜視図。（ｂ）同じく、斜視断面図。
【図４】（ａ）同じく、平面図。（ｂ）同じく、Ａ−Ａ矢視断面図。
【図５】（ａ）第一円筒管を示した平面図。（ｂ）同じく、Ｂ−Ｂ矢視断面図。
【図６】（ａ）第二円筒管を示した平面図。（ｂ）同じく、Ｃ−Ｃ矢視断面図。
【図７】（ａ）第三円筒管を示した平面図。（ｂ）同じく、Ｄ−Ｄ矢視断面図。
【図８】湿度調整部の本体部を流通する空気及び冷媒を示した側面断面図。
【図９】（ａ）湿度調整部における屋外から屋内に導入される空気及び屋内から屋外に放出される空気の流通経路を示した模式図。（ｂ）同じく、模式図。
【図１０】（ａ）ダンパによる連通状態の切り替えを示した模式図。（ｂ）同じく、模式図。
【図１１】季節に応じた空気の調湿の態様を示した図。
【図１２】湿度調整部の本体部の第二の実施形態を示した断面図。
【発明を実施するための形態】
【００２５】
以下では、図１及び図２を用いて、本発明に係る「調湿システム」の一実施形態である調湿システム１の概略について説明する。
なお、以下の説明では、図中に示した矢印に従って、上下方向、前後方向及び左右方向を定義する。
【００２６】
調湿システム１は、例えば住宅等の建物に導入され、空気（室内空気）の湿度の調整（調湿）を行うためのシステムである。図１に示すように、調湿システム１は、主として冷媒流通部１０と、空気流通部２０と、湿度調整部３０と、制御装置４０と、により構成される。
【００２７】
図１（ａ）に示す冷媒流通部１０は、主として冷媒流通路１１と、冷媒流通装置１２と、により構成される。
【００２８】
図１（ａ）に示す冷媒流通路１１は、冷媒が充填され、当該充填された冷媒が流通するものである。冷媒流通路１１は、湿度調整部３０及び冷媒流通装置１２を経由した無端状に形成され、流通する冷媒が循環するように構成される。
【００２９】
図１（ａ）及び図２に示す冷媒流通装置１２は、圧縮した冷媒や減圧した冷媒を冷媒流通路１１に流通させるための装置である。冷媒流通装置１２は、図示せぬ圧縮機や、膨張弁、四方弁等により構成される。冷媒流通装置１２は、前記圧縮機により冷媒を圧縮して流通させることができる。また、冷媒流通装置１２は、流通する冷媒を前記膨張弁により減圧させることができる。
【００３０】
このような構成により、冷媒流通部１０は、冷媒流通装置１２により圧縮した冷媒や減圧した冷媒を、冷媒流通路１１を介して湿度調整部３０に流通させることができる。
【００３１】
空気流通部２０は、主として空気流通路２１と、ファン２２と、により構成される。
【００３２】
図１（ａ）及び（ｂ）に示す空気流通路２１は、屋内外を連通し、空気が流通するものである。空気流通路２１は、屋外の空気を屋内に流通（導入）させる導入用の流通路と、屋内の空気を屋外に流通（放出）させる放出用の流通路との２種類が、相互に連通不能に形成される。空気流通路２１の中途部には、湿度調整部３０が配置される。
【００３３】
以下では、図１（ａ）及び（ｂ）に示すように、湿度調整部３０よりも上流側にある前記導入用の流通路を「上流側導入流通路２３」と、湿度調整部３０よりも下流側にある前記導入用の流通路を「下流側導入流通路２４」と、それぞれ称する。また、湿度調整部３０よりも上流側にある前記放出用の流通路を「上流側放出流通路２５」と、湿度調整部３０よりも下流側にある前記放出用の流通路を「下流側放出流通路２６」と、それぞれ称する。
【００３４】
図１（ａ）及び図２に示すファン２２は、その駆動により、空気流通路２１の空気の流通を促進するものである。ファン２２は、空気流通路２１に適宜に設置される。
【００３５】
このような構成により、空気流通部２０は、ファン２２を駆動させ、屋内外の空気を湿度調整部３０を介して空気流通路２１（より詳細には、上流側導入流通路２３、下流側導入流通路２４、上流側放出流通路２５及び下流側放出流通路２６）に流通させることができる。
【００３６】
図１（ａ）及び（ｂ）に示す湿度調整部３０は、冷媒流通部１０により流通される冷媒を利用して、当該湿度調整部３０を流通する空気の湿度を調整するものである。湿度調整部３０には、図２に示すダンパ用モータ５６を有するダンパ５３等が設けられる。
なお、湿度調整部３０の構成についての詳細な説明は後述する。
【００３７】
図１（ａ）及び図２に示す制御装置４０は、調湿システム１を制御するためのコンピュータ装置である。制御装置４０は、主としてＣＰＵ等の演算処理装置や、ＲＡＭやＲＯＭ等の記憶装置、Ｉ／Ｏ等の入出力装置等により構成される。
制御装置４０は、冷媒流通装置１２に接続される。制御装置４０は、冷媒流通装置１２の駆動を制御することができる。
制御装置４０は、ファン２２に接続される。制御装置４０は、ファン２２の駆動を制御することができる。
制御装置４０は、ダンパ用モータ５６に接続される。制御装置４０は、ダンパ用モータ５６の駆動を制御することができる。
【００３８】
このような調湿システム１の構成により、制御装置４０の制御によって、屋内外の空気を湿度調整部３０を介して空気流通路２１に流通させると共に、冷媒流通装置１２により圧縮した冷媒や減圧した冷媒を当該湿度調整部３０に流通させ、当該湿度調整部３０を流通する空気の湿度を調整することができる。
【００３９】
以下では、図１、図３から図１０までを用いて、湿度調整部３０の構成について詳細に説明する。
【００４０】
図１、図３及び図４、図８及び図９に示す湿度調整部３０は、冷媒流通部１０により流通される冷媒を利用して、当該湿度調整部３０を流通する空気の湿度を調整するものである。
湿度調整部３０は、主として本体部３９と、上流側ダンパ部５１と、下流側ダンパ部５２と、により構成される。
【００４１】
本体部３９は、湿度調整部３０の主たる構造体である。本体部３９は、主として第一円筒管３１と、第二円筒管３２と、第三円筒管３３と、により構成される。
【００４２】
図３から図５までに示す第一円筒管３１は、軸心方向（長手方向）を上下方向とした円筒状に形成される。第一円筒管３１は、（平面）断面視円形状に形成される。第一円筒管３１の上側端部及び下側端部は開放され、冷媒流通路１１に接続される（不図示）。こうして、第一円筒管３１の内側は、冷媒流通路１１からの冷媒が上側から下側へ向けて流通可能に構成される（図８参照）。第一円筒管３１は、アルミニウムや銅等の金属や樹脂等の熱伝導性に優れた材料により形成される。第一円筒管３１の外周面には、空気の水分を吸脱着可能な第一吸着材３５が設けられる（図４及び図５参照）。
【００４３】
図３及び図４、図６に示す第二円筒管３２は、軸心方向（長手方向）を上下方向とした円筒状に形成される。第二円筒管３２は、（平面）断面視円形状に形成される。第二円筒管３２は、下側から上側に行くに従って徐々に拡径するように（すり鉢状に）形成される。なお、本実施形態において第二円筒管３２は、図６に示すように、側面断面視で直線状に延出するように形成されるが、湾曲状に延出するように形成されてもよい。第二円筒管３２の上側端部及び下側端部は開放される。第二円筒管３２の上下方向の長さは、第一円筒管３１の上下方向の長さと略同一に形成される。第二円筒管３２の最小内径（すなわち、下側端部の内径）は、第一円筒管３１の外径よりも大きく形成される。
【００４４】
また、第二円筒管３２は、防湿性を有することが望ましい。なお、第二円筒管３２の防湿性は、例えば当該第二円筒管３２の材料により成し得る構成であっても、防湿性を有する防湿シートのような別部材を当該第二円筒管３２に設けることで成し得る構成であっても良い。
【００４５】
また、第二円筒管３２は、断熱性を有することが望ましい。なお、第二円筒管３２の断熱性は、例えば当該第二円筒管３２の材料（低熱伝導性の材料（断熱性に優れる材料））により成し得る構成であっても、断熱性を有する断熱シートのような別部材を当該第二円筒管３２に設けることで成し得る構成であっても良い。
【００４６】
第二円筒管３２は、図３及び図４に示すように、第一円筒管３１を互いに離間した状態で内側に収容する。第二円筒管３２は、その軸心が第一円筒管３１の軸心と重複するように配置される。こうして、第二円筒管３２と第一円筒管３１との間には、当該第二円筒管３２と第一円筒管３１とにより、平面断面視で略円環状となる空間が区画される。以下では、第二円筒管３２と第一円筒管３１とにより区画される当該空間を「第一室Ｒ１」と称する。第一室Ｒ１は、下側から上側に行くに従って徐々に外径方向に大きくなるように形成される。
【００４７】
第一室Ｒ１は、図８に示すように、下側から上側に空気が流通可能に構成され、後述するように当該流通する空気を調湿可能に構成される。第一室Ｒ１の下側端部は、上流側ダンパ部５１を介して空気流通路２１（より詳細には、上流側導入流通路２３及び上流側放出流通路２５）に接続される（図９参照）。第一室Ｒ１の上側端部は、下流側ダンパ部５２を介して空気流通路２１（より詳細には、下流側導入流通路２４及び下流側放出流通路２６）に接続される（図９参照）。
【００４８】
図３及び図４、図７に示す第三円筒管３３は、軸心方向（長手方向）を上下方向とした円筒状に形成される。第三円筒管３３は、（平面）断面視円形状に形成される。第三円筒管３３の上側端部及び下側端部は開放される。第三円筒管３３の上下方向の長さは、第二円筒管３２の上下方向の長さと略同一に形成される。第三円筒管３３の内径は、第二円筒管３２の最大外径（すなわち、上側端部の外径）よりも大きく形成される。第三円筒管３３は、アルミニウムや銅等の金属や樹脂等の熱伝導性に優れた材料により形成される。第三円筒管３３の内周面には、空気の水分を吸脱着可能な第二吸着材３６が設けられる（図４及び図７参照）。図３に示すように、第三円筒管３３の外周面には、冷媒流通路１１が巻装される。なお、図３以外の図面においては、便宜上、第三円筒管３３の外周面に巻装される冷媒流通路１１の図示を省略している。
第三円筒管３３には、吸入口３７と、排出口３８と、が設けられる。
【００４９】
図３（ｂ）及び図４、図７に示す第三円筒管３３の吸入口３７は、第三円筒管３３の外側と内側とを連通する開口部である。吸入口３７は、第三円筒管３３の下側部に設けられる。吸入口３７には、外部から空気が流入される。吸入口３７は、第三円筒管３３の内周面に沿う方向であって、且つ若干上方を臨むように形成される。こうして、吸入口３７は、当該吸入口３７から流入される空気を、図８に示すように、第三円筒管３３の内周面に沿って旋回させることができる（旋回流とすることができる）。吸入口３７は、上流側ダンパ部５１を介して空気流通路２１（より詳細には、上流側放出流通路２５及び上流側導入流通路２３）に接続される（図９参照）。
【００５０】
図３（ｂ）及び図４、図７に示す第三円筒管３３の排出口３８は、第三円筒管３３の外側と内側とを連通する開口部である。排出口３８は、第三円筒管３３の上側部に設けられる。排出口３８は、下流側ダンパ部５２を介して空気流通路２１（より詳細には、下流側放出流通路２６及び下流側導入流通路２４）に接続される（図９参照）。
【００５１】
なお、図３及び図４に示すように、第三円筒管３３は、第二円筒管３２を互いに離間した状態で内側に収容する。第三円筒管３３は、その軸心が第二円筒管３２の軸心と重複するように配置される。こうして、第三円筒管３３と第二円筒管３２との間には、当該第三円筒管３３と第二円筒管３２とにより、平面断面視で略円環状となる空間が区画される。以下では、第三円筒管３３と第二円筒管３２とにより区画される当該空間を「第二室Ｒ２」と称する。第二室Ｒ２は、下側から上側に行くに従って徐々に外径方向に小さくなるように形成される。
【００５２】
第二室Ｒ２は、図８に示すように、下側から上側に空気が流通可能に構成され、後述するように当該流通する空気を調湿可能に構成される。第二室Ｒ２を流通する空気は、第三円筒管３３の吸入口３７から当該第二室Ｒ２に流入し、排出口３８から排出される。
【００５３】
このように、湿度調整部３０においては、第一円筒管３１、第二円筒管３２及び第三円筒管３３により、第一室Ｒ１及び第二室Ｒ２が区画される。そして、第一円筒管３１、第二円筒管３２及び第三円筒管３３は、それぞれ（平面）断面視で円形状に形成されると共に、それぞれの軸心が重複するように配置される。このような構成により、第一室Ｒ１及び第二室Ｒ２は、それぞれ平面断面視で径方向の長さに長短が生じていない略円環状に形成される。
【００５４】
図１（ｂ）及び図９に示す上流側ダンパ部５１は、第一室Ｒ１及び第二室Ｒ２と、空気流通路２１（より詳細には、上流側導入流通路２３及び上流側放出流通路２５）との間に介在される。上流側ダンパ部５１は、上流側導入流通路２３からの空気を第一室Ｒ１又は第二室Ｒ２のいずれか一方に案内すると共に、上流側放出流通路２５からの第一室Ｒ１又は第二室Ｒ２のいずれか他方に案内することができる。上流側ダンパ部５１には、複数のダンパ５３が設けられる。
【００５５】
図１０に示すダンパ５３は、軸部５４と、当該軸部５４から外方に延出して板面を空気の流通方向へ向けた羽板部５５と、当該軸部５４を周方向に回転させるダンパ用モータ５６（図２参照）と、により構成される。ダンパ用モータ５６は、制御装置４０に接続され、当該制御装置４０により駆動が制御される。ダンパ５３は、羽板部５５により空気の流通経路を開閉し、開放状態（空気が流通可能な状態）と閉塞状態（空気が流通不能な状態）とを切り替えることができる。
【００５６】
本実施形態においては、上流側導入流通路２３の下流側端部に、２つのダンパ５３が接続される。より詳細には、上流側導入流通路２３は、当該２つのダンパ５３のうち一方のダンパ５３を介して第一室Ｒ１に接続され、他方のダンパ５３を介して第二室Ｒ２に接続される。こうして、上流側導入流通路２３は、当該２つのダンパ５３を介して第一室Ｒ１又は第二室Ｒ２のいずれか一方と連通可能に構成される（図１０（ａ）及び（ｂ）参照）。
【００５７】
また、上流側放出流通路２５の下流側端部に、２つのダンパ５３が接続される。より詳細には、上流側放出流通路２５は、当該２つのダンパ５３のうち一方のダンパ５３を介して第一室Ｒ１に接続され、他方のダンパ５３を介して第二室Ｒ２に接続される。こうして、上流側放出流通路２５は、当該２つのダンパ５３を介して第一室Ｒ１又は第二室Ｒ２のいずれか他方と連通可能に構成される（図１０（ａ）及び（ｂ）参照）。
【００５８】
図１（ｂ）及び図９に示す下流側ダンパ部５２は、第一室Ｒ１及び第二室Ｒ２と、空気流通路２１（より詳細には、下流側放出流通路２６及び下流側導入流通路２４）との間に介在される。下流側ダンパ部５２は、第一室Ｒ１からの空気を下流側放出流通路２６又は下流側導入流通路２４のいずれか一方に案内すると共に、第二室Ｒ２からの空気を下流側放出流通路２６又は下流側導入流通路２４のいずれか他方に案内することができる。下流側ダンパ部５２には、複数のダンパ５３が設けられる。
【００５９】
なお、下流側ダンパ部５２に設けられるダンパ５３の構成は、上流側ダンパ部５１に設けられるダンパ５３の構成と略同一であるため、その説明を省略する。
下流側ダンパ部５２においては、第一室Ｒ１が、下流側導入流通路２４又は下流側放出流通路２６のいずれか一方と連通可能に構成される。また、第二室Ｒ２が、下流側導入流通路２４又は下流側放出流通路２６のいずれか他方と連通可能に構成される。
【００６０】
上述の如く構成された湿度調整部３０は、第一室Ｒ１の第一吸着材３５及び第二室Ｒ２の第二吸着材３６に、冷熱又は温熱をそれぞれ選択的に供給することができる。
【００６１】
以下では、第一室Ｒ１における第一吸着材３５への冷熱又は温熱の供給の態様について説明する。
【００６２】
第一室Ｒ１においては、図８に示すように、当該第一室Ｒ１を区画する一部材である第一円筒管３１の内側を冷媒流通路１１からの冷媒が上側から下側へ向けて流通される。こうして、第一室Ｒ１においては、第一円筒管３１（より詳細には、当該第一円筒管３１の周壁部）が、当該第一円筒管３１の内側を流通する冷媒（圧縮した冷媒や、減圧した冷媒）により、放熱器（凝縮器）又は蒸発器として機能する（冷熱又は温熱を供給する）ことができる。
【００６３】
こうして、第一室Ｒ１においては、第一円筒管３１から冷熱が供給された場合に、当該冷熱により第一円筒管３１の外周面に設けられた第一吸着材３５が冷却される。そして、当該冷却により第一室Ｒ１を流通する空気から第一吸着材３５に水分が吸着され、除湿が行われる（除湿状態となる）。
【００６４】
また、第一室Ｒ１においては、第一円筒管３１から温熱が供給された場合に、当該温熱により第一円筒管３１の外周面に設けられた第一吸着材３５が加熱される。そして、当該加熱により第一室Ｒ１を流通する空気へと第一吸着材３５から水分が脱着され、加湿が行われる（加湿状態となる）。なお、第一吸着材３５から水分が脱着されると、当該第一吸着材３５が再生される。
【００６５】
以下では、第二室Ｒ２における第二吸着材３６への冷熱又は温熱の供給の態様について説明する。
【００６６】
第二室Ｒ２においては、前述したように、当該第二室Ｒ２を区画する一部材である第三円筒管３３の外周面を冷媒流通路１１が巻装される。こうして、第二室Ｒ２においては、第三円筒管３３（より詳細には、当該第三円筒管３３の周壁部）が、前記巻装された冷媒流通路１１を流通する冷媒（圧縮した冷媒や、減圧した冷媒）により、放熱器（凝縮器）又は蒸発器として機能する（冷熱又は温熱を供給する）ことができる。
【００６７】
こうして、第二室Ｒ２においては、第三円筒管３３から冷熱が供給された場合に、当該冷熱により第三円筒管３３の内周面に設けられた第二吸着材３６が冷却される。そして、当該冷却により第二室Ｒ２を流通する空気から第二吸着材３６に水分が吸着され、除湿が行われる（除湿状態となる）。
【００６８】
また、第二室Ｒ２においては、第三円筒管３３から温熱が供給された場合に、当該温熱により第三円筒管３３の内周面に設けられた第二吸着材３６が加熱される。そして、当該加熱により第二室Ｒ２を流通する空気へと第二吸着材３６から水分が脱着され、加湿が行われる（加湿状態となる）。なお、第二吸着材３６から水分が脱着されると、当該第二吸着材３６が再生される。
【００６９】
このように、湿度調整部３０においては、第一室Ｒ１及び第二室Ｒ２を流通する空気を、それぞれ選択的に除湿又は加湿することができる。
【００７０】
また、湿度調整部３０においては、第一室Ｒ１及び第二室Ｒ２は、加湿状態と除湿状態とが相反する状態となるようにそれぞれ切り替えられる。
【００７１】
より詳細には、第一室Ｒ１において、第一吸着材３５に空気の水分を吸着させる状態（除湿状態）から、第一吸着材３５から空気へと水分を脱着させる状態（加湿状態）へと切り替えられると同時に、第二室Ｒ２において、第二吸着材３６から空気へと水分を脱着させる状態（加湿状態）から、第二吸着材３６に空気の水分を吸着させる状態（除湿状態）へと切り替えられる。
【００７２】
また、第一室Ｒ１において、第一吸着材３５から空気へと水分を脱着させる状態（加湿状態）から、第一吸着材３５に空気の水分を吸着させる状態（除湿状態）へと切り替えられると同時に、第二室Ｒ２において、第二吸着材３６に空気の水分を吸着させる状態（除湿状態）から、第二吸着材３６から空気へと水分を脱着させる状態（加湿状態）へと切り替えられる。
【００７３】
上述の如く構成された調湿システム１においては、屋外から屋内へと導入させる空気及び屋内から屋外へと放出させる空気を、一定の期間が経過するごとに、第一室Ｒ１又は第二室Ｒ２に相互に切り替えて流通させることができる。
【００７４】
例えば、屋外から屋内に導入させる空気を第一室Ｒ１に流通させて除湿している際、当該第一室Ｒ１の第一吸着材３５が水分を十分に吸着して除湿の効率が悪くなった場合には、当該屋外から屋内に導入させる空気を、第一室Ｒ１から第二室Ｒ２へと切り替えて流通させることができる。こうして、屋外から屋内に導入させる空気を第二室Ｒ２に流通させ、当該第二室Ｒ２の（再生された状態の）第二吸着材３６を用いて除湿の効率を向上させることができる。
【００７５】
そして、前述したように屋外から屋内に導入させる空気が第二室Ｒ２に流通している間には、屋内から屋外に放出させる空気を第一室Ｒ１に流通させ、当該第一室Ｒ１の第一吸着材３５を再生させることができる。こうして、第二室Ｒ２の第二吸着材３６が水分を十分に吸着して除湿の効率が悪くなった場合には、当該屋外から屋内に導入させる空気を、第二室Ｒ２から第一室Ｒ１へと切り替えて流通させ、当該第一室Ｒ１の（再生された状態の）第一吸着材３５を用いて除湿の効率を向上させることができる。
【００７６】
このように、調湿システム１においては、屋外から屋内に導入させる空気を連続的に効率良く除湿することができる。また同様に、調湿システム１においては、屋外から屋内に導入させる空気を連続的に効率良く加湿することができる。
【００７７】
なお、屋外から屋内に導入させる空気を第二室Ｒ２に流通させ、且つ屋内から屋外に放出させる空気を第一室Ｒ１に流通させる状態は、後述する図１１に示す「ケース１」に該当する。
また、屋外から屋内に導入させる空気を第一室Ｒ１に流通させ、且つ屋内から屋外に放出させる空気を第二室Ｒ２に流通させる状態は、後述する図１１に示す「ケース２」に該当する。
【００７８】
なお、本実施形態においては、屋外から屋内へと導入させる空気及び屋内から屋外へと放出させる空気は、一定の期間が経過するごとに、第一室Ｒ１又は第二室Ｒ２に相互に切り替えて流通される構成であるが、これに限定するものではない。例えば、第一吸着材３５及び第二吸着材３６に吸着可能な水分の残量を検出するセンサを設け、屋外から屋内へと導入させる空気及び屋内から屋外へと放出させる空気を、当該センサの検出結果に基づいて、第一室Ｒ１又は第二室Ｒ２に相互に切り替えて流通させる構成としてもよい。
【００７９】
また、本実施形態においては、第一室Ｒ１の第一吸着材３５が第一円筒管３１の外周面に設けられ、第二室Ｒ２の第二吸着材３６が第三円筒管３３の内周面に設けられている。ここで、第一円筒管３１の外周面は、第三円筒管３３の内周面よりも表面積が小さく形成される。そのため本実施形態においては、当該第一円筒管３１の外周面に設けられる第一吸着材３５の厚さを大きくすることにより、第一吸着材３５の量と第二吸着材３６の量とを同一とすることが望ましい。
【００８０】
このように構成すれば、第一室Ｒ１にて除湿を行う場合に当該第一室Ｒ１の第一吸着材３５に吸着される水分の量と、第二室Ｒ２にて除湿を行う場合に当該第二室Ｒ２の第二吸着材３６に吸着される水分の量とを、略同一とすることができる。すなわち、第一室Ｒ１又は第二室Ｒ２のいずれか一方だけに偏らず、当該第一室Ｒ１及び第二室Ｒ２の両方の室でバランス良く調湿することができる。
【００８１】
以下では、図８及び図９を用いて、第一室Ｒ１における空気の流通及び当該空気の調湿（除湿又は加湿）の態様について説明する。
【００８２】
第一室Ｒ１においては、その下側端部（上流側端部）が上流側ダンパ部５１を介して上流側導入流通路２３及び上流側放出流通路２５に接続される。また、第一室Ｒ１においては、その上側端部（下流側端部）が下流側ダンパ部５２を介して下流側導入流通路２４及び下流側放出流通路２６に接続される。
【００８３】
こうして、第一室Ｒ１を流通する空気は、上流側ダンパ部５１を介して上流側導入流通路２３又は上流側放出流通路２５から当該第一室Ｒ１に流入し、当該第一室Ｒ１を下側から上側へ向けて流通し、下流側ダンパ部５２を介して下流側導入流通路２４又は下流側放出流通路２６へと流出する。また、当該第一室Ｒ１を流通する空気は、下側から上側へと流通する過程で、第一円筒管３１の外周面に設けられた第一吸着材３５と接触する。こうして、第一室Ｒ１を流通する空気は、第一円筒管３１の外周面に設けられた第一吸着材３５により除湿又は加湿される。
【００８４】
以下では、図８及び図９を用いて、第二室Ｒ２における空気の流通及び当該空気の調湿（除湿又は加湿）の態様について説明する。
【００８５】
第二室Ｒ２においては、吸入口３７が上流側ダンパ部５１を介して上流側放出流通路２５又は上流側導入流通路２３に接続される。また、第二室Ｒ２においては、排出口３８が下流側ダンパ部５２を介して下流側放出流通路２６又は下流側導入流通路２４に接続される。
【００８６】
こうして、第二室Ｒ２を流通する空気は、上流側ダンパ部５１を介して上流側放出流通路２５又は上流側導入流通路２３から当該第二室Ｒ２に流入し、当該第二室Ｒ２を下側から上側へ向けて流通し、下流側ダンパ部５２を介して下流側導入流通路２４又は下流側放出流通路２６へと流出する。
【００８７】
ここで、第二室Ｒ２の吸入口３７は、第三円筒管３３の内周面に沿う方向であって、且つ若干上方を臨むように形成されるため、当該吸入口３７から流入される空気を、第三円筒管３３の内周面に沿って旋回させることができる（旋回流とすることができる）。したがって、第二室Ｒ２を流通する空気は、下側から上側へと流通する過程で、外径方向に膨らむように旋回することにより、第三円筒管３３の内周面に設けられた第二吸着材３６と接触し易くなっている。こうして、第二室Ｒ２を流通する空気は、第三円筒管３３の内周面に設けられた第二吸着材３６により除湿又は加湿される。
【００８８】
また、本実施形態においては、第二室Ｒ２を区画する一部材である第二円筒管３２が下側から上側に行くに従って徐々に拡径するように（すり鉢状に）形成される。すなわち、第二室Ｒ２は、下側から上側に行くに従って徐々に内径方向に小さくなるように形成される。したがって、第二室Ｒ２を流通する空気は、下側から上側に行くに従って徐々に旋回（流通）する速度が速くなる。その結果、第二室Ｒ２を流通する空気は、第三円筒管３３の内周面に設けられた第二吸着材３６とより速い速度で接触するため、より効率良く除湿又は加湿される。
【００８９】
また、調湿システム１においては、季節に応じて空気の調湿の態様を異ならせることができる。
【００９０】
なお、以下の説明では、湿度調整部３０において第一吸着材３５又は第二吸着材３６から水分を脱着して当該第一吸着材３５又は第二吸着材３６を再生させるための空気を「再生用空気」と、当該第一吸着材３５又は第二吸着材３６を再生したことにより加湿された空気を「加湿空気」と、当該第一吸着材３５又は第二吸着材３６により水分を吸着されることで除湿が行われる空気を「処理空気」と、当該第一吸着材３５及び第二吸着材３６により水分が吸着された（除湿された）空気を「除湿空気」と、それぞれ称する。
【００９１】
また、図１（ｂ）に示すように、上流側導入流通路２３を流通する空気（屋外から湿度調整部３０へと案内される空気）を「外気ＯＡ」と、下流側導入流通路２４を流通する空気（湿度調整部３０から屋内へと案内される空気）を「給気ＳＡ」と、上流側放出流通路２５を流通する空気（屋内から湿度調整部３０へと案内される空気）を「還気ＲＡ」と、下流側放出流通路２６を流通する空気（湿度調整部３０から屋外へと案内される空気）を「排気ＥＡ」と、それぞれ称する。
【００９２】
図１１に示すように、夏期の場合には、ケース１又はケース２の何れであっても、第一室Ｒ１及び第二室Ｒ２の両方の室において、外気ＯＡが処理空気として用いられ、給気ＳＡが除湿空気となる。また、還気ＲＡが再生用空気として用いられ、排気ＥＡが加湿空気となる。こうして、比較的湿度の高い夏期においては、屋外からの空気を除湿して屋内へと導入させることができる。
【００９３】
また、冬期の場合には、第一室Ｒ１及び第二室Ｒ２の両方の室において、ケース１又はケース２の何れであっても、外気ＯＡが再生用空気として用いられ、給気ＳＡが加湿空気となる。また、還気ＲＡが処理空気として用いられ、排気ＥＡが除湿空気となる。こうして、比較的湿度の低い冬期においては、屋外からの空気を加湿して屋内へと導入させることができる。
【００９４】
なお、ケース１とは、屋外から屋内に導入させる空気を第二室Ｒ２に流通させ、且つ屋内から屋外に放出させる空気を第一室Ｒ１に流通させる状態を指す。また、ケース２とは、屋外から屋内に導入させる空気を第一室Ｒ１に流通させ、且つ屋内から屋外に放出させる空気を第二室Ｒ２に流通させる状態を指す。
【００９５】
以上のように、調湿システム１は、
水分を吸脱着可能な第一吸着材３５及び第二吸着材３６（吸着材）が設けられ、冷媒を流通させて前記吸着材に冷熱又は温熱を選択的に供給可能に構成され、
前記冷熱を供給して流通する空気の水分を前記吸着材に吸着させる第一状態と、前記温熱を供給して流通する空気へと前記吸着材から水分を脱着させる第二状態と、を、それぞれ切り替え可能な第一室Ｒ１及び第二室Ｒ２を具備する、空気の湿度の調整を行うための調湿システムであって、
筒状に形成されると共にそれぞれの径が異なる第一円筒管３１、第二円筒管３２及び第三円筒管３３が設けられ、
前記第一室Ｒ１は、前記第一円筒管３１が前記第二円筒管３２の内側に配置されることにより、前記第一円筒管３１と前記第二円筒管３２との間に区画され、
前記第一室Ｒ１の吸着材は、前記第一円筒管３１の外周面に設けられ、
前記第一室Ｒ１の冷媒は、前記第一円筒管３１の内側を流通し、
前記第二室Ｒ２は、前記第二円筒管３２が前記第三円筒管３３の内側に配置されることにより、前記第二円筒管３２と前記第三円筒管３３との間に区画され、
前記第二室Ｒ２の吸着材は、前記第三円筒管３３の内周面に設けられ、
前記第二室Ｒ２の冷媒は、前記第三円筒管３３の外側を流通するものである。
【００９６】
このような構成により、調湿システム１を小型化することができる。
具体的には、調湿システム１においては、例えば従来技術のように、第一吸着材３５が設けられた部材（第一円筒管３１）や、第二吸着材３６が設けられた部材（第三円筒管３３）を回転させる必要がないため、当該回転のための駆動装置等を必要としない。すなわち、調湿システム１は比較的簡易な構成であるため、当該調湿システム１を小型化することができる。
【００９７】
また、調湿システム１においては、
前記第一円筒管３１、前記第二円筒管３２及び前記第三円筒管３３は、それぞれ断面視円形状に形成されると共に、それぞれの軸心が重複するように配置されるものである。
【００９８】
このような構成により、第一室Ｒ１及び第二室Ｒ２は、それぞれ平面断面視で径方向の長さに長短が生じていない略円環状に形成される。したがって、例えば第一室Ｒ１及び第二室Ｒ２が平面断面視で径方向の長さに長短が生じている略円環状に形成される場合と比べて、当該第一室Ｒ１及び第二室Ｒ２を空気が流通し易くすることができ、調湿の効率を向上させることができる。
【００９９】
また、調湿システム１においては、
前記第二室Ｒ２を流通する空気を旋回流とするための旋回流発生手段（第二室Ｒ２の吸入口３７、及び第二円筒管３２の周壁部）が設けられるものである。
【０１００】
このような構成により、第二室Ｒ２を流通する空気が、下側から上側へと流通する過程で外径方向に膨らむように旋回することにより、第三円筒管３３の内周面に設けられた第二吸着材３６と接触し易くなっている。すなわち、第二室Ｒ２を流通する空気が当該第二室Ｒ２の第二吸着材３６と接触し易くなるため、調湿の効率を向上させることができる。
【０１０１】
また、調湿システム１においては、
前記第二円筒管３２は、空気の流通方向の上流側から下流側へ行くに従って徐々に拡径するように形成されるものである。
【０１０２】
このような構成により、第二室Ｒ２を流通する空気が、下側から上側に行くに従って徐々に旋回（流通）する速度が速くなる。すなわち、第二室Ｒ２を流通する空気が当該第二室Ｒ２の第二吸着材３６と速い速度で接触し易くなるため、調湿の効率をより向上させることができる。
【０１０３】
また、調湿システム１においては、
前記第一室Ｒ１の第一吸着材３５の量及び前記第二室Ｒ２の第二吸着材３６の量が略同一であるものである。
【０１０４】
このような構成により、第一室Ｒ１にて除湿を行う場合に当該第一室Ｒ１の第一吸着材３５に吸着される水分の量と、第二室Ｒ２にて除湿を行う場合に当該第二室Ｒ２の第二吸着材３６に吸着される水分の量とを、略同一とすることができるため、当該第一室Ｒ１又は第二室Ｒ２のいずれか一方だけに偏らず、当該第一室Ｒ１及び第二室Ｒ２の両方の室でバランス良く調湿することができる。
【０１０５】
また、調湿システム１においては、
前記第二円筒管３２は、防湿性及び／又は断熱性を有するものである。
【０１０６】
このような構成により、第二円筒管３２の防湿性及び／又は断熱性によって、調湿の効率をより向上させることができる。
すなわち、例えば第二円筒管３２が防湿性を有する場合には、第一室Ｒ１と第二室Ｒ２とを空気中の水分が行き来するのを防止することができる。すなわち、例えば第一室Ｒ１が加湿状態であって第二室Ｒ２が除湿状態である場合に、第一室Ｒ１の空気中の水分が第二室Ｒ２へと移動しないため、調湿の効率をより向上させることができる。
また、例えば第二円筒管３２が断熱性を有する場合には、第一室Ｒ１及び第二室Ｒ２の一方の吸着材に供給された冷熱と、第一室Ｒ１及び第二室Ｒ２の他方の吸着材に供給された温熱とが、互いに行き来するのを防止することができる。すなわち、第一室Ｒ１及び第二室Ｒ２の一方の放熱器（凝縮器）としての機能と、第一室Ｒ１及び第二室Ｒ２の他方の蒸発器としての機能とを、第二円筒管３２が断熱性を有さない場合よりも向上させ、調湿の効率をより向上させることができる。
【０１０７】
以下では、図１２を用いて、湿度調整部３０の本体部３９の第二実施形態について説明する。
【０１０８】
図１２に示すように、湿度調整部３０の本体部３９の第二実施形態においては、第二円筒管３２と第三円筒管３３とが連結部７０により連結される。より詳細には、第二円筒管３２の上側端部と第三円筒管３３の上側端部との間と、第二円筒管３２の下側端部と第三円筒管３３の下側端部との間とが、それぞれ連結部７０により覆われる。こうして、第二室Ｒ２は、吸入口３７及び排出口３８以外が閉鎖された空間となる。これにより、第二室Ｒ２を流通する空気を、第二吸着材３６とより接触し易くすることができ、調湿の効率をより向上させることができる。
【０１０９】
このように、調湿システム１においては、
前記第二円筒管３２及び前記第三円筒管３３には、それぞれ前記空気の流通方向の上流側及び下流側端部に、前記第二円筒管３２と前記第三円筒管３３とを連結すると共に、前記第二円筒管３２と前記第三円筒管３３との間を覆う連結部７０が設けられるものである。
【０１１０】
このような構成により、第二室Ｒ２を流通する空気が当該第二室Ｒ２の第二吸着材３６とより接触し易くなるため、調湿の効率をより向上させることができる。
また、前記第二円筒管３２及び前記第三円筒管３３を一体的に連結すれば、部品点数を削減でき、ひいてはコスト削減を図ることができる。
【０１１１】
なお、本実施形態においては、本発明に係る「旋回流発生手段」の実施形態として、第二室Ｒ２の吸入口３７、及び第二円筒管３２の周壁部が設けられる構成であったが、これに限定するものではない。本発明に係る「旋回流発生手段」は、例えば第二円筒管３２の外周面や、第三円筒管３３の内周面に螺旋状のフィンが設けられる構成等であってもよい。
【０１１２】
また、本実施形態においては、本発明に係る「第一筒管」、「第二筒管」及び「第三筒管」の形状を平面断面視で円形状としたが、これに限定するものではない。本発明に係る「第一筒管」、「第二筒管」及び「第三筒管」の形状は、平面断面視で四角形状や、楕円形状、三角形状の構成であってもよい。但し、第一室Ｒ１及び第二室Ｒ２の空気の流通を円滑とするためには、平面断面視で円形状が望ましい。
【符号の説明】
【０１１３】
１      調湿システム
３１    第一円筒管
３２    第二円筒管
３３    第三円筒管
３５    第一吸着材
３６    第二吸着材
【図１】
2015152272.tif 000003
【図２】
2015152272.tif 000004
【図３】
2015152272.tif 000005
【図４】
2015152272.tif 000006
【図５】
2015152272.tif 000007
【図６】
2015152272.tif 000008
【図７】
2015152272.tif 000009
【図８】
2015152272.tif 000010
【図９】
2015152272.tif 000011
【図１０】
2015152272.tif 000012
【図１１】
2015152272.tif 000013
【図１２】
2015152272.tif 000014